【手続補正書】
【提出日】平成28年1月20日(2016.1.20)
【手続補正１】
【補正対象書類名】特許請求の範囲
【補正対象項目名】全文
【補正方法】変更
【補正の内容】
【特許請求の範囲】
【請求項１】
交流電流源から負荷に供給される電力量を制御するように前記交流電流源及び前記負荷に結合される調光器スイッチであって、
前記交流電流源と前記負荷との間に結合され、また、トリガされると、前記交流電流源の対応する半サイクルの間、前記交流電流源から前記負荷に制御された電力量を供給するように、制御可能な双方向性半導体スイッチを導通させる制御ラインを有する、前記制御可能な双方向性半導体スイッチと、
前記制御ラインに結合され、前記制御可能な双方向性半導体スイッチをトリガする第１及び第２のトリガ発生回路と、
コントローラと、
を含み、
前記コントローラは、
前記交流電流源の電圧波形の１つ以上の半サイクルの間の１つ以上のゼロ交差に関する情報を含む前記交流電流源の特性に関する感知情報を受信し、
前記感知情報、前記調光器スイッチの動作状態及び調光選択のうちの１つ以上に基づいてイネーブルにされるべき１つの前記第１又は第２のトリガ発生回路を選択し、
選択された前記第１又は第２のトリガ発生回路を充電するようにイネーブルにし、
選択された前記第１又は第２のトリガ発生回路が閾値充電に到達すると、選択された前記第１又は第２のトリガ発生回路は、前記１つ以上の半サイクルのうちの対応する半サイクルの間、導通するように前記制御可能な双方向性半導体スイッチをトリガし、前記交流電流源から前記負荷に電力を供給し、前記閾値充電は、対応する前記第１又は第２のトリガ発生回路の充電時間が経過すると実質的に到達される、
調光器スイッチ。
【請求項２】
前記第１及び第２のトリガ発生回路のそれぞれの充電時間は、互いに異なる、請求項１に記載の調光器スイッチ。
【請求項３】
前記調光器スイッチの入力部及び出力部として、それぞれ、前記交流電流源に結合されるソースライン及び前記負荷に結合される負荷ラインしか含まない、請求項１に記載の調光器スイッチ。
【請求項４】
前記第１及び第２のトリガ発生回路の両方に結合されるコンデンサを更に含み、充電の際、前記第１及び第２のトリガ発生回路のうちの少なくとも一方が、前記コンデンサを充電する、請求項１に記載の調光器スイッチ。
【請求項５】
交流電流源から負荷に供給される電力量を制御するように前記交流電流源及び前記負荷に結合される調光器スイッチを動作させる方法であって、前記方法は、プロセッサによって実行されるステップ、即ち、
前記交流電流源の電圧波形の１つ以上の半サイクルの間の１つ以上のゼロ交差に関する情報を含む前記交流電流源の特性に関する感知情報を受信するステップと、
前記感知情報、前記調光器スイッチの動作状態及び調光選択のうちの１つ以上に基づいて前記第１又は第２のトリガ発生回路を選択するステップと、
選択された前記第１又は第２のトリガ発生回路を充電するようにイネーブルにするステップと、
を含み、
選択された前記第１又は第２のトリガ発生回路が閾値充電に到達すると、選択された前記第１又は第２のトリガ発生回路は、前記交流電流源の対応する半サイクルの間、導通するように制御可能な双方向性半導体スイッチをトリガし、前記交流電流源から前記負荷に電力を供給し、前記閾値充電は、対応する前記第１又は第２のトリガ発生回路の充電時間が経過すると実質的に到達される、方法。
【請求項６】
前記第１及び第２のトリガ発生回路のそれぞれの充電時間は、互いに異なるように設定される、請求項５に記載の方法。
【請求項７】
選択された前記第１又は第２のトリガ発生回路を充電するようにイネーブルにする前記ステップは、前記感知情報、前記調光器スイッチの前記動作状態及び前記調光選択のうちの１つ以上に従って、前記イネーブルにするステップを変調するステップを更に含む、請求項５に記載の方法。
【請求項８】
前記第１及び第２のトリガ発生回路のうちの選択されたトリガ発生回路ではないトリガ発生回路をディスイネーブルにするステップを更に含む、請求項５に記載の方法。
【請求項９】
前記調光選択に従って、第１及び第２の調光状態のうちの選択された調光状態を決定するステップを更に含む、請求項５に記載の方法。
【請求項１０】
前記第１の調光状態において前記第１及び第２のトリガ発生回路のうちの一方を選択し、前記第２の調光状態において前記第１及び第２のトリガ発生回路のうちのもう一方を選択するステップを更に含む、請求項９に記載の方法。
【請求項１１】
コンピュータ可読で非一時的なメモリ媒体上に記憶され、交流電流源から負荷に供給される電力量を制御するように前記交流電流源及び前記負荷に結合される調光器スイッチを動作させるコンピュータプログラムであって、
前記交流電流源の電圧波形のゼロ交差に関する情報を含む前記交流電流源の特性に関する感知情報を受信し、
前記感知情報、前記調光器スイッチの動作状態及びユーザ入力情報のうちの１つ以上に基づいて第１又は第２のトリガ発生回路を選択し、
選択された前記第１又は第２のトリガ発生回路を充電するようにイネーブルにし、
選択された前記第１又は第２のトリガ発生回路が閾値充電に到達すると、選択された前記第１又は第２のトリガ発生回路は、前記交流電流源の対応する半サイクルの間、導通するように制御可能な双方向性半導体スイッチをトリガし、前記交流電流源から前記負荷に電力を供給する、プログラム部を含み、前記プログラム部は更に、前記調光器スイッチのユーザインターフェースから調光選択を受信する、コンピュータプログラム。
コンピュータプログラム。
【請求項１２】
前記プログラム部は更に、前記感知情報、前記調光器スイッチの動作状態及び調光選択のうちの１つ以上に従って、選択された前記第１又は第２のトリガ発生回路をイネーブルすることを変調する、請求項１１に記載のコンピュータプログラム。
【請求項１３】
前記プログラム部は更に、前記第１及び第２のトリガ発生回路のうちの選択されたトリガ発生回路ではないトリガ発生回路をディスイネーブルする、請求項１１に記載のコンピュータプログラム。
【請求項１４】
前記プログラム部は更に、前記調光選択に従って、第１及び第２の調光状態のうちの選択された調光状態を決定する、請求項１１に記載のコンピュータプログラム。
【請求項１５】
交流電流源から負荷に供給される電力量を制御するように前記交流電流源及び前記負荷に結合される調光器スイッチであって、
前記交流電流源と前記負荷との間に結合され、また、トリガされると、前記交流電流源の複数の半サイクルのうちの対応する半サイクルの間、前記交流電流源から前記負荷に制御された電力量を供給するように、制御可能な双方向性半導体スイッチを導通させる制御ラインを有する、前記制御可能な双方向性半導体スイッチと、
前記制御ラインに結合され、前記制御可能な双方向性半導体スイッチをトリガする第１及び第２のトリガ発生回路と、
コントローラと、
を含み、
前記第１のトリガ発生回路は、前記第１のトリガ発生回路が閾値充電に到達すると、１つ以上の半サイクルのうちの対応する半サイクルの間、導通するように前記制御可能な双方向性半導体スイッチをトリガし、前記交流電圧源から前記負荷に電力を供給する自己平衡型トリガ発生回路であり、
前記コントローラは、
前記交流電圧源の、前記交流電圧源の電圧波形に関する情報を含む特性に関する感知情報を受信し、
前記感知情報に従って、前記複数の半サイクルのうちの少なくとも１つの半サイクルの間、前記交流電流源の前記電圧波形のゼロ交差を感知し、
前記感知情報及び調光選択に従って、前記複数の半サイクルのうちの前記少なくとも１つの半サイクルについて、位相カットのための遅延期間を決定し、
前記遅延期間が経過したかどうかを決定し、
前記遅延期間が経過したと決定されると、前記複数の半サイクルのうちの前記少なくとも１つの半サイクルの間、前記制御可能な双方向性半導体スイッチをトリガするように前記第２のトリガ発生回路をイネーブルにし、
前記第１のトリガ発生回路を選択的にディスイネーブルにする、調光器スイッチ。